(57)【要約】【課題】  ルーバーが視界を遮らず、開口部全面にわたる採光を可能にし、逆に、ルーバーを展開するときには一枚のルーバーも収納部に残されることなく、全てのルーバーが収納部外側へ出され得る可動式縦型ブラインドを提供する。  【解決手段】  上下の軌道１４，１５に沿って移動可能に設けられると共に側方に配置された収納部１３に収納され得るように設けられた複数のルーバー１１Ａ〜１１Ｄと、複数のルーバーのそれぞれ上下に突設された回転軸１８，１９と、複数のルーバーの全てが収納部の外側に所定間隔で配列されるまで複数のルーバーを軌道に沿って移動させ得ると共に複数のルーバーの全てが収納部の内側に収納されるまで複数のルーバーを軌道に沿って移動させ得る走行駆動機構と、複数のルーバーを回転しないように固定するロック手段３７を解除或いは作動させるロック駆動装置と、複数のルーバーを回転させるための回転駆動装置とを備える。【選択図】  図１
2005097926.tif 000002
【特許請求の範囲】
【請求項１】
開口部の上下に設けられた軌道に沿って移動可能に設けられた複数のルーバーと、該複数のルーバーのそれぞれ上下に突設された回転軸と、前記複数のルーバーの全てが所定間隔で配列されるまで複数のルーバーを軌道に沿って移動させ得ると共に前記複数のルーバーの全てが開口部の側方に寄せ集められるまで複数のルーバーを軌道に沿って移動させ得る走行駆動装置と、前記複数のルーバーが回転軸を中心に回転しないように固定するロック手段を解除したり或いは作動させたりするロック駆動装置と、前記回転軸を中心に複数のルーバーを回転させるための回転駆動装置とを備えた可動式縦型ブラインド。
【請求項２】
前記開口部の側方に寄せ集められる複数のルーバーを収納し得るように前記開口部の側方に収納部を設け、前記走行駆動装置は前記複数のルーバーの全てが収納部の内側に収納されるまで複数のルーバーを軌道に沿って移動させ得るように形成されたものである請求項１に記載の可動式縦型ブラインド。
【請求項３】
前記走行駆動装置は、前記開口部の上部に設けられた軌道に並ぶように設けられた一対の無端ベルトと、前記開口部の上部、両側部及び下部の全長に沿って無端状に延設された一対の無端ワイヤーと、該一対の無端ベルトを回転駆動させる駆動モーターとを備え、
前記無端ベルトと前記無端ワイヤーとは連動するように所定箇所で固定され、前記一対の無端ベルトの所定位置に実質的に直交するように上部連結部材が固定され、前記一対の無端ワイヤーにおいて前記開口部の下部に配置された箇所に実質的に直交するように下部連結部材が固定され、前記複数のルーバーにおいて収納部から送り出されるときに先頭に位置するルーバーの上部回転軸及び下部回転軸が回転可能にそれぞれ前記上部連結部材及び前記下部連結部材に係合されたものである請求項１に記載の可動式縦型ブラインド。
【請求項４】
前記複数のルーバーの上部回転軸には、前記回転駆動装置からの力を各ルーバーに伝達するための回転アームがそれぞれ固定されると共に、ロック着脱アームが前記回転アームに対向する配置で回動可能に枢着され、該ロック着脱アームには前記ロック手段が設けられ、該ロック手段が前記回転アームに着脱自在に係合することにより、各ルーバーが所定時以外には回転しないようにロックされるものである請求項１に記載の可動式縦型ブラインド。
【請求項５】
前記複数のルーバーの隣り合うもの同士で、前記回転アームがリンク結合されるか或いはワイヤーで結合されると共に、前記ロック着脱アームもそれぞれ隣り合うもの同士でリンク結合されるか或いはワイヤーで結合されたものである請求項４に記載の可動式縦型ブラインド。
【請求項６】
前記ロック駆動装置は、前記複数のロック着脱アームのうち所定のものに一端が接続されたワイヤーと、該ワイヤーの他端に接続されて所定位置に懸吊されたワイヤー巻上げ機と、該ワイヤー巻上げ機の上下方向への移動をガイドするガイド軌道とを備えることを特徴とする請求項５に記載の可動式縦型ブラインド。
【請求項７】
前記回転駆動装置は、前記複数の回転アームのうち所定のものに一端が接続されたワイヤーと、該ワイヤーの他端に接続されて所定位置に懸吊されたワイヤー巻上げ機と、該ワイヤー巻上機の上下方向への移動をガイドするガイド軌道とを備えることを特徴とする請求項５に記載の可動式縦型ブラインド。
【請求項８】
前記上下の軌道は緩やかな曲線状の平面配置で設けられる一方で、前記無端ベルトと前記無端ワイヤーとは両端部近傍が上下の軌道に交差するような直線状の平面配置で設けられ、前記先頭に位置するルーバーの上部回転軸及び下部回転軸はそれぞれ前記上部連結部材及び前記下部連結部材に沿って横移動可能に連結されたものである請求項３に記載の可動式縦型ブラインド。
【発明の詳細な説明】
【技術分野】
【０００１】
本発明は建築物の室外側に設置される可動式縦型ブラインドに関する。
【背景技術】
【０００２】
建築物の躯体に形成された開口部に複数枚のパネルを縦方向に並べ、これらのパネルを回動させることにより、防音、断熱、採光量の調整を図る縦型ブラインドは、従来から多数のものが提案されている。
例えば、特許文献１（特開平５−１００８１号公報）には、手動により操作される縦型ブラインドが記載されており、ここでは、建築物の開口部に設けられた窓の上枠に沿ってヘッドレールが固定され、ルーバーをそれぞれ吊持する複数のキャリアが、ヘッドレールの内部でレールに沿ってそれぞれ移動することができるように、且つそれぞれ回動することができるように設けられており、これらキャリアの回動操作や移動操作は、ヘッドレール内の概ね全長に渡り設けられた周回コードにより実施されている。
【０００３】
また特許文献２（特開２００２−２５０１８４号公報）には、開閉用モーターにより開閉操作される電動縦型パネルルーバーが記載されている。各パネルは、発泡ウレタンボードが充填された芯材が鋼板で被覆され、上下にヒンジ軸を有し、これらのヒンジ軸が上下の枠の軸受に枢着されており、上枠内に設けられた連動軸を介してモータからの回転駆動力がヒンジ軸に伝わり、パネルの開閉操作を行なっている。
【０００４】
【特許文献１】特開平５−１００８１号公報
【特許文献１】特開２００２−２５０１８４号公報
【発明の開示】
【発明が解決しようとする課題】
【０００５】
上述した特許文献１における縦型ブラインドでは、ヘッドレールが設けられ、ルーバーはヘッドレールに沿って移動するものであるが、窓の下枠にはルーバーを導くようなレールは設けられておらず、ただ単に、隣り合うルーバーどうしが下端付近で連結されているのみである。つまり、特許文献１の縦型ブラインドは、室内に設けることを前提としたものであるため、これを室外側に設置した場合には、風等が強く吹き付けると、揺れ動いて窓に接触するといった危険性がある。また特許文献２に記載された電動縦型パネルルーバーについては、各パネルの構成から判断して、室外側に設置することも可能であるように見受けられるものの、各パネルは上下枠の定位置に固定されていることから、ルーバーを開放しているときにも、常に視界を遮るものであり、窓全面からの採光は不可能である。
【０００６】
本発明は、このような従来の問題を解決するため、強風が吹き付ける可能性のある室外側にも設置可能であると共に、ルーバーが視界を遮らず、窓の全面にわたる採光を可能にする可動式縦型ブラインドを提供することを目的とする。
【課題を解決するための手段】
【０００７】
上記課題を解決するために、本発明では、開口部の上下に設けられた軌道に沿って移動可能に設けられた複数のルーバーと、該複数のルーバーのそれぞれ上下に突設された回転軸と、前記複数のルーバーの全てが所定間隔で配列されるまで複数のルーバーを軌道に沿って移動させ得ると共に前記複数のルーバーの全てが開口部の側方に寄せ集められるまで複数のルーバーを軌道に沿って移動させ得る走行駆動装置と、前記複数のルーバーが回転軸を中心に回転しないように固定するロック手段を解除したり或いは作動させたりするロック駆動装置と、前記回転軸を中心に複数のルーバーを回転させるための回転駆動装置とを備えた可動式縦型ブラインドが提供される。
本発明の可動式縦型ブラインドでは、開口部の上下に軌道が設けられ、複数のルーバーは軌道に沿って移動するように設置され、ロック駆動装置はロック手段を解除或いは作動させて複数のルーバーを回転不可能にしたり、或いは回転可能にすることができるものであるため、風が吹き付ける室外側にも設置することが可能である。つまり、複数のルーバーを軌道に沿って移動させるときには、ロック手段を作動させておけば、ルーバーは不安定に揺れ動いたりせず、ルーバーどうしが接触して破損するといった事故も未然に防止することができるものである。また複数のルーバーの全てが側方に寄せ集められるまで複数のルーバーを軌道に沿って移動させ得る走行駆動装置を備えているので、窓を開放するときにはルーバーが視界を遮らず、窓の全面にわたる採光を可能にするものである。
【発明の効果】
【０００８】
本発明の可動式縦型ブラインドは、複数のルーバーを軌道に沿って移動させるときに、ルーバーが回転しないようにロックすることができるものであるため、たとえ、強風が吹き付けるような室外であっても設置可能である。またルーバーが視界を遮らず、開口部全面にわたる採光を可能にするものである。
【発明を実施するための最良の形態】
【０００９】
以下、図面を参照しながら本発明の実施の形態を説明するが、本発明は下記の形態に限定されるものではない。
図１（ａ）（ｂ）及び図２（ａ）（ｂ）は本発明の可動式縦型ブラインド１０の平面図である。可動式縦型ブラインド１０は、図１（ａ）に示したように、建築物の躯体における開口部１２の両側に設けられた収納部１３に、全てのルーバー１１Ａ，１１Ｂ，１１，１１Ｃ，１１Ｄ（以下、ルーバー１１Ａ〜１１Ｄと記載する）が収納され得るものであり、ルーバー１１Ａ〜１１Ｄを走行移動させるための上下の軌道１４，１５がガラス窓１６の外側に設けられ、この軌道１４，１５が緩やかな曲線を描くような平面配置で形成されている。また収納部１３の外側には光センサー（図示せず）が設けられ、これにより軌道１４，１５の両側に光線１７が走査しており、光センサーが物体を感知すると、制御部（図示せず）がルーバー１１Ａ〜１１Ｄの走行移動を停止するように設定されている。図１（ｂ）は、両側の収納部１３から中央に向けてルーバー１１Ａ〜１１Ｄを展開する過程あるいはルーバー１１Ａ〜１１Ｄを両側の収納部１３に収納する過程を示した平面図であり、各ルーバー１１Ａ〜１１Ｄは所定間隔で軌道１４，１５に沿って走行移動される。また図２（ａ）に示したように、全てのルーバー１１Ａ〜１１Ｄが両側の収納部１３から外側に移動したとき、各ルーバー１１Ａ〜１１Ｄはその側面が軌道１４，１５にほぼ直交する角度で所定間隔に配列され、室内は開口部１２からの採光が可能になっている。これに対して、図２（ｂ）では、各ルーバー１１Ａ〜１１Ｄが回動されて開口部１２は閉じた状態になっている。
なお、この実施の形態では、緩やかな曲線を描くように配置された軌道１４，１５を有する可動式縦型ブラインドについて説明するものであるが、本発明は、これに限定されるものではなく、例えば、軌道１４，１５が直線状の平面配置で設けられるものについても適用可能なものである。また収納部１３に関しても同様であり、本発明は、収納部１３が設けられていない建築物にも適用可能なものであり、この場合、ルーバー１１Ａ〜１１Ｄは開口部１２の側方に寄せ集められる。
【００１０】
次に、可動式縦型ブラインド１０を構成する各部位について説明する。
各ルーバー１１Ａ〜１１Ｄは、耐候性が良好なアルミニウム等の金属板を用いて、図３に示したような流線形断面に形成され、上端に上部回転軸１８、下端に下部回転軸１９が固定されている。図４は上部軌道１４や上部回転軸１８を含む開口部１２の上縁部分の構成を示した断面図である。開口部１２の上縁には凹部３１が形成されており、この凹部３１において上部軌道１４は取付け金物２０やアンカーボルト２１などにより躯体３２に固定される。上部軌道１４には、これに沿って移動可能に係合部材２２が設けられ、この係合部材２２には上部回転軸１８が接続部材２３を介して回動可能に取り付けられ、これによりルーバー１１Ａ〜１１Ｄは上部軌道１４に沿って移動可能に支持される。
【００１１】
図５は下部軌道１５や下部回転軸１９を含む開口部１２の下縁部分の構成を示した断面図である。開口部１２の下縁には凹部３３が形成され、この凹部３３の内部まで延長するように下部回転軸１９が配置され、その下端にはローラー２５が枢着されている。そして、ローラー２５が接触して転がるように、下部軌道１５が凹部３３に固定されている。
【００１２】
次に、図６はルーバー１１Ａ〜１１Ｄを上下の軌道１４，１５に沿って移動させるための駆動機構に関する簡略説明図である。なお、図６では図示の都合或いは理解を容易にするために、ルーバー１１Ａ〜１１Ｄの枚数を図１及び図２よりも少なく描き、ルーバー配列中央には実際には無い隙間を描いている。
開口部１２の上縁にはそれぞれ左右から中央に延長するように一対の無端ベルト４１ａがプーリー４２ａ，４２ｂに掛け渡されると共に、一対の無端ベルト４１ｂがプーリー４３ａ，４３ｂに掛け渡されており、開口部１２の両端のプーリー４２ａ，４３ｂには回転駆動力が伝達されるように駆動モーター５０（図８参照）が連設されている。また開口部１２において、上縁から両側部を通って下縁に至るまでの全長に巡り渡されるように各一対の無端ワイヤー４４，４５が二組、すなわち、無端ワイヤーが２本ずつ各プーリー４６，４７に掛け渡されており、無端ベルト４１ａの下側部分は無端ワイヤー４４の上縁部分に、また無端ベルト４１ｂの下側部分は無端ワイヤー４５の上縁部分にそれぞれ固定されている。この固定箇所は、図６における符号４８，４９で示した位置、すなわち、全てのルーバー１１Ａ〜１１Ｄを展開して所定間隔で配列したときに、開口部１２の両端に位置する箇所である。このような箇所で固定することにより、駆動モーターを稼動させたときに、無端ベルト４１ａの上側部分と無端ワイヤー４４の下縁部分とは同じ方向に送られ、また無端ベルト４１ｂの上側部分と無端ワイヤー４５の下縁部分とも同じ方向に送られる。
【００１３】
一方、開口部１２の中央から左半に配列されたルーバー１１Ａ，１１，１１Ｃのうちの先頭に位置するルーバー１１Ａには、図４に示したように、その上部回転軸１８に貫通するように横軸２６ａが設けられ、この横軸２６ａの両端が固定部材２６ｂにより無端ベルト４１ａの上側部分に固定されている。またルーバー１１Ａの下部回転軸１９は、開口部１２の下縁に位置する無端ワイヤー４４に下部連結部材２７を介して係合されている。すなわち、下部連結部材２７では、図５及び図６に示したように、無端ワイヤー４４が両端部２７ｂに固定される一方で、無端ワイヤー４５は両端部２７ｂを貫通し、長孔２７ａに下部回転軸１９が貫装されている。以上のように、上部回転軸１８と下部回転軸１９とが、それぞれ横軸２６ａと下部連結部材２７とに係合しているため、ルーバー１１Ａは、横軸２６ａの材軸方向に摺動することができると共に、無端ベルト４１ａが送られる方向に移動できるようになっている。
なお、開口部１２の中央から右半に配列されたルーバー１１Ｂ，１１，１１Ｄのうちの先頭に位置するルーバー１１Ｂについても、前記ルーバー１１Ａと同様に構成されており、その上部回転軸１８が無端ベルト４１ｂの上側部分に固定され、下部回転軸１９が無端ワイヤー４５に下部連結部材２７を介して連結され、ルーバー１１Ｂは、横方向に摺動することができると共に、無端ベルト４１ｂが送られる方向に移動できるように構成されている。
またルーバー１１Ａとルーバー１１Ｂ以外のルーバー１１，１１Ｃ，１１Ｄにおける、上部回転軸１８と下部回転軸１９は、無端ベルト４１ａ，４１ｂや無端ワイヤー４４，４５には直接的に係合されていない。
【００１４】
次に、各ルーバー１１Ａ〜１１Ｄを回動させて角度を変えるための機構について説明する。
各上部回転軸１８には、図３（ａ）に示したように、一体に形成された一対の回転アーム３５が固定されており、これらの回転アーム３５の上側には一体に形成された一対のロック着脱アーム３６が回動可能に環装されている。そして、回転アーム３５の両端３５ａには、隣り合う上部回転軸１８どうしをリンク結合するためのリンク部材（図示せず）が枢着されるか、または隣り合う上部回転軸１８どうしがワイヤー（図示せず）により結合され、一方、ロック着脱アーム３６の両端３６ａにも隣り合うロック着脱アームどうしでリンク結合するためのリンク部材（図示せず）が枢着されるか、または隣り合うロック着脱アームどうしがワイヤー（図示せず）により結合されている。また各回転アーム３５には貫通孔３５ｂが穿設され、この貫通孔３５ｂの上方に位置する各ロック着脱アーム３６の部位には円弧状の長孔３６ｂが穿設され、この長孔３６ｂに沿って傾斜面３６ｃを有する溝３６ｄが形成されている。この溝３６ｄには、図３（ｂ）の部分断面図に示したように、バネ３８により下方に付勢されたロック部材３７が傾斜面３６ｃに摺動自在に嵌められ、ロック部材３７の下端ピン３７ａが長孔３６ｂを通って回転アーム３５の貫通孔３５ｂに着脱自在に嵌るように配置されている。なお、このロック部材３７は、回転アーム３５に対して相対的に固定された位置に設けられている。
以上の構成において、回転アーム３５とロック着脱アーム３６とが、図３（ａ）のように配置しているときには、回転アーム３５の貫通孔３５ｂにはロック部材３７の下端ピン３７ａが嵌合しているため、ルーバー１１Ａ〜１１Ｄは回動することとができないようにロックされている。
次に、図８は開口部１２の左側方に寄せられて収納部１３に格納された複数のルーバー１１，１１Ｃを示す平面図であり、ここに図示したように、左側の端に位置するルーバー１１Ｃの上部回転軸１８に設けられた回転アーム３５にはそれぞれワイヤー５１が接続され、またロック着脱アーム３６にもそれぞれワイヤー５２が接続され、これらのワイヤー５１，５２は開口部１２の左側面に固定されたプーリー５３，５４に掛けられて下方に吊下げられ、ワイヤー５１，５２の下端には、図９（ａ）（ｂ）に示したように、ワイヤー巻上げ機５５，５６が各１台ずつ接続され、このワイヤー巻上げ機５５，５６はガイドレール（図示せず）に沿って上下方向に移動可能なように設置されている。また図示はしていないが、ワイヤー巻上げ機５５，５６には、これによりワイヤー５１，５２を巻き上げるときの反力を確保するために、所定重量の錘が固定されている。
なお、開口部１２の右側方に寄せられて収納部１３に格納された複数のルーバー１１Ｂ，１１，１１Ｄのうち、右側の端に位置するルーバー１１Ｄについても、ワイヤーと、ワイヤー巻上げ機と、錘と、ガイドレールといった構成が設けられているが、上述のルーバー１１Ｃと同様であるため、さらなる説明は省略する。
【００１５】
本発明の可動式縦型ブラインド１０の作用について、以下に説明する。
図１（ａ）のように全てのルーバー１１Ａ〜１１Ｄが両側の収納部１３に収納された状態においては、回転アーム３５の貫通孔３５ｂにロック部材３７の下端ピン３７ａが嵌合しているため、ルーバー１１Ａ〜１１Ｄは回動不可能なようにロックされる。このような状態において、駆動モーター５０を稼動させると、開口部１２の両側のプーリー４２ａ，４３ｂが回転して無端ベルト４１ａ，４１ｂが送られて、先頭に位置するルーバー１１Ａ，１１Ｂが開口部１２の中央に向かって移動を開始する。先頭のルーバー１１Ａ，１１Ｂが所定長進んでリンク部材またはワイヤーが延びきると、これらのルーバー１１Ａ，１１Ｂからリンク部材またはワイヤーを介して隣りのルーバー１１に力が伝わって、次のルーバー１１が移動を開始し、次々に各リンク部材または各ワイヤーの伸長と各ルーバー１１の移動が生じる。そして、図９（ａ）に示したように、最左端と最右端に位置するリンク部材またはワイヤーが延びきると、最左端と最右端のルーバー１１Ｃ，１１Ｄも移動を開始する。この最左端ルーバー１１Ｃと最右端ルーバー１１Ｄが移動を開始すると、ワイヤー５１，５２を介してワイヤー巻上げ機５５，５６も引き上げられてガイドレールに沿って上昇する。全てのルーバー１１Ａ〜１１Ｄが両側の収納部１３から外側に出て配列されると、移動が終了し、ルーバー１１Ａ〜１１Ｄは図２（ａ）に示したように、所定間隔で配列される。
次に、ワイヤー巻上げ機５６を稼動させると、ワイヤー５２を介してルーバー１１Ｃ，１１Ｄのロック着脱アーム３６に力が伝達され、さらに、各リンク部材または各ワイヤーを介して他の全てのルーバー１１Ａ，１１Ｂ，１１のロック着脱アーム３６にも力が伝達され、ロック着脱アーム３６が矢印Ｒ１方向（図３（ａ）参照）へ回転される。この回転時に、各ロック着脱アーム３６の傾斜面３６ｃがロック部材３７に摺動しながら、それぞれのロック部材３７を上方に押し上げると、各下端ピン３７ａは各回転アーム３５の貫通孔３５ｂから外れ、ルーバー１１Ａ〜１１Ｄは回転可能な状態にされる。
この状態から、他のワイヤー巻上げ機５５を稼動させることにより、ワイヤー５２を介してルーバー１１Ｃ，１１Ｄの回転アーム３５に力が伝達され、さらに、リンク部材またはワイヤーを介して他のルーバー１１，１１Ａ，１１Ｂの回転アーム３５に力が伝達されてＲ２方向に回転されると、全てのルーバー１１Ａ〜１１Ｄは回動して角度を変え、図２（ｂ）に示したように、閉じた状態にされる。
【００１６】
上述した説明と重複する内容を含むものであるが、図１０の簡略図を参照して、以下に、上下の軌道の平面配置と無端ベルト及び無端ワイヤーの平面配置とについて説明する。なお、図１０においては、理解を容易にするために、各部位の数量、寸法、曲線の曲率等は実際とは異なるように描いている。
上記図１及び図２を参照して言及したように、上下の軌道１４，１５は緩やかな曲線を描くような平面配置で形成されている。これに対して、無端ベルト４１ａ，４１ｂはそれぞれ開口部１２の左右両端から中央まで延びるように直線状の配置で設けられている。また無端ワイヤー４４，４５は、開口部１２において、上縁から両側部を通って下縁に至るまでの全周に直線状に巡り渡されているものであるが、下縁の中央部では、図７に示したような回転ローラ５８にワイヤーを掛けて角度を変えており、上縁の中央部でも同様な回転ローラ（図示せず）により角度が変えられている。
上記無端ベルト４１ａ，４１ｂには、ほぼ直角に交差する配置で横軸２６ａが固定されており、ルーバー１１Ａ，１１Ｂの上部回転軸１８が横軸２６ａに沿って横移動可能に係合する一方で、上部軌道１４に沿って移動するようにも設けられている。またルーバー１１Ａ，１１Ｂの下部回転軸１９は下部連結部材２７に横移動可能に係合する一方で、下部軌道１５に沿って移動するようにも設けられている。さらに、他のルーバー１１，１１Ｃ，１１Ｄの上下回転軸１８，１９は、上下の軌道１４，１５に沿って移動するように設けられている。
したがって、駆動モーター５０を稼動させたときには、横軸２６ａ及び下部連結部材２７が、それぞれ無端ベルト４１ａ，４１ｂ及び無端ワイヤー４４，４５と同様に直線状の軌跡で移動するものの、ルーバー１１Ａ，１１Ｂの上部回転軸１８と下部回転軸１９は、それぞれ横軸２６ａと下部連結部材２７に沿って横移動しながら、上部軌道１４と下部軌道１５に導かれて緩やかな曲線状の軌跡で走行移動するものである。またルーバー１１Ａ，１１Ｂにリンク結合されている他のルーバー１１，１１Ｃ，１１Ｄも、上部軌道１４と下部軌道１５に導かれて緩やかな曲線状の軌跡で走行移動する。
【図面の簡単な説明】
【００１７】
【図１】（ａ）（ｂ）は本発明の可動式縦型ブラインドの平面図である。
【図２】（ａ）（ｂ）は本発明の可動式縦型ブラインドの平面図である。
【図３】（ａ）は回転アーム、ロック着脱アーム等を含んだルーバーの断面図であり、（ｂ）はロック部材を含む断面図である。
【図４】上部軌道や上部回転軸を含む開口部の上縁部分の断面図である。
【図５】下部軌道や下部回転軸を含む開口部の下縁部分の断面図である。
【図６】ルーバーを上下の軌道に沿って移動させるための駆動機構に関する簡略説明図である。
【図７】下部軌道の平面図である。
【図８】収納部に格納された複数のルーバーを示す平面図である。
【図９】（ａ）（ｂ）はワイヤー巻上げ機について説明するための簡略図である。
【図１０】上下の軌道の平面配置と、無端ベルト及び無端ワイヤーの平面配置とについて説明するための図である。
【符号の説明】
【００１８】
１０  可動式縦型ブラインド
１１Ａ，１１Ｂ  先頭に位置するルーバー
１１Ｃ  左側の端に位置するルーバー
１１Ｄ  右側の端に位置するルーバー
１１  ルーバー
１２  開口部
１３  収納部
１４  上部軌道
１５  下部軌道
１８  上部回転軸
１９  下部回転軸
２６ａ  横軸
２７  下部連結部材
３５  回転アーム
３６  ロック着脱アーム
３７  ロック部材
４１ａ，４１ｂ  無端ベルト
４４，４５  無端ワイヤー
５１，５２  ワイヤー
５５，５６  ワイヤー巻上げ機
【図１】
2005097926.tif 000003
【図２】
2005097926.tif 000004
【図３】
2005097926.tif 000005
【図４】
2005097926.tif 000006
【図５】
2005097926.tif 000007
【図６】
2005097926.tif 000008
【図７】
2005097926.tif 000009
【図８】
2005097926.tif 000010
【図９】
2005097926.tif 000011
【図１０】
2005097926.tif 000012